(57)【要約】      （修正有）【課題】使用中の拘束ハーネスの望ましくない緩みを防ぐことができるチャイルド安全シートを提供する。【解決手段】チャイルド安全シート１００は、シート本体１と、シート本体に結合された拘束ハーネス１０２を含む。シート本体は、前面と後面が互いに反対側にあり、前面は、シート本体に収容された子供を支持するように適合されている。拘束ハーネスは、互いに結合された拘束ベルトと調整バックルとを含み、拘束ベルトは、前面の前に延びる前部ベルト部分２１と、前面の後ろに延びる後部ベルト部分とを有し、調整バックルは、後部ベルト部分に設けられ、前部ベルト部分の長さを調整するように操作可能である。【選択図】図２
0003235458.tif 000002
【実用新案登録請求の範囲】
【請求項１】
互いに反対側にある前面および後面を有するシート本体と、該シート本体に結合された拘束ハーネスを備えたチャイルド安全シートであって、
前記シート本体の前面はシート本体に収容された子供を支持するように適合されており、
前記拘束ハーネスは、互いに結合された拘束ベルトおよび調整バックルを含み、
前記拘束ベルトは、前面の前に延びる前部ベルト部分と前面の後ろに延びる後部ベルト部分とを有し、
前記調整バックルは、前記後部ベルト部分に設けられ、前記前部ベルト部分の長さを調整するように動作可能である、
チャイルド安全シート。
【請求項２】
前記調整バックルはスリーバー・バックルであり、前記後部ベルト部分は前記調整バックルに通されている、請求項１に記載のチャイルド安全シート。
【請求項３】
前記調整バックルは、前記シート本体の後面に隣接して配置されている、請求項１または２に記載のチャイルド安全シート。
【請求項４】
前記調整バックルは、前記拘束ベルトの前記後部ベルト部分を前記シート本体の後面に固定するように適合されている、請求項１、２、または３に記載のチャイルド安全シート。
【請求項５】
前記拘束ハーネスは前記シート本体に結合されたバックルをさらに含み、前記前部ベルト部分の自由端は、前記バックルに取り付けたり取り外したりするように動作可能なコネクタを有する、請求項１〜４の何れか１項に記載のチャイルド安全シート。
【請求項６】
前記バックルはクロッチベルトを介して前記シート本体に結合される、請求項５に記載のチャイルド安全シート。
【請求項７】
前記拘束ベルトが前面の前部開口部および後面の後部開口部に通され、前記前部開口部と前記コネクタとの間の前記前部ベルト部分には長さ調整バックルがない、請求項５または６に記載のチャイルド安全シート。
【請求項８】
前記拘束ベルトがショルダーベルトである、請求項１〜７の何れか１項に記載のチャイルド安全シート。
【考案の詳細な説明】
【技術分野】
【０００１】
本考案は、チャイルド安全シートに関する。この出願は、2020年10月19日に出願された中国特許出願番号202022337083.7の優先権を主張している。
【背景技術】
【０００２】
チャイルド安全シートは通常、偶発的な衝突の際に子供を適切に拘束するために自動車に使用される。図１は、従来のチャイルド安全シート２００に設けられた拘束ハーネスを示す概略図である。図１を参照すると、チャイルド安全シート２００は、典型的には、シート本体２０１と、シート本体２０１に結合された２つのショルダーベルト２０２を含む拘束ハーネスとを含む。各ショルダーベルト２０２は、シート本体２０１の前部に延在し、通常、ショルダーベルト２０２の長さを調整するためのスリーバー・バックル（three-bar buckle）２０３を有する。使用中、拘束ハーネスが固定されると、スリーバー・バックル２０３が子供に接触し、その結果、スリーバー・バックル２０３によって子供に不快な圧力が加えられる可能性がある。さらに、望ましくないことに、ショルダーベルト２０２はスリーバー・バックル２０３をすり抜けることがあり、これは、ショルダーベルト２０２の緩みを引き起こす。
【考案の概要】
【考案が解決しようとする課題】
【０００３】
したがって、少なくとも上述の問題に対処できる改良されたチャイルド安全シートが必要である。
【課題を解決するための手段】
【０００４】
本出願は、使用中の拘束ハーネスの望ましくない緩みを防ぐことができるチャイルド安全シートについて説明している。
【０００５】
一態様によれば、チャイルド安全シートは、シート本体と、シート本体に結合された拘束ハーネスとを含む。シート本体は、前面と後面が互いに反対側にあり、前面は、シート本体に収容された子供を支持するように適合されている。拘束ハーネスは、互いに結合された拘束ベルトと調整バックルとを含み、拘束ベルトは、前面の前に延びる前部ベルト部分と、前面の後ろに延びる後部ベルト部分とを有し、調整バックルは、後部ベルト部分に設けられ、前部ベルト部分の長さを調整するように操作可能である。
【図面の簡単な説明】
【０００６】
【図１】図１は従来のチャイルド安全シートの概略正面図である。
【図２】図２は本開示の一実施形態による、チャイルド安全シートの前側にある拘束ハーネスの構造の詳細を示す概略図である。
【図３】図３は本開示の一実施形態による、チャイルド安全シートの後側にある拘束ハーネスの構造の詳細を示す概略図である。
【図４】図４は、拘束ハーネスに設けられた拘束ベルトの構造の詳細を示す斜視図である。
【考案を実施するための形態】
【０００７】
図２〜４に示されるように、チャイルド安全シート１００は、シート本体１と、シート本体１に結合された拘束ハーネス１０２とを含む。シート本体１は、子供を受け入れるように適合されている。シート本体１は、例えばプラスチック材料を含む剛性材料で作られたシートシェルであり得る。シート本体１は、互いに反対側にある前面１Ａと後面１Ｂを有することができる。前面１Ａは、シート本体１に収容された子供を支持するように適合されている。例えば、前面１Ａは、シート本体１の背もたれ部分に規定され得、シート本体１のシート部分に延在することができる。
【０００８】
拘束ハーネス１０２は、シート本体１上で子供を拘束するために子供を包むように構成可能である。拘束ハーネス１０２は、シート本体１にねじ込まれた２つの拘束ベルト２を含むことができる。２つの拘束ベルト２は、拘束ハーネス１０２のショルダーベルトであり得る。２つの拘束ベルト２のそれぞれは、シート本体１の前面１Ａに設けられた前部開口部１２に通され、シート本体１の前面１Ａの前の前部開口部１２から延びる前部ベルト部分２１を有する。また、２つの拘束ベルト２のそれぞれは、シート本体１の後面１Ｂに設けられた後部開口部１３に通され、そして、後部開口部１３から前面１Ａの後ろに延び、少なくとも部分的にシート本体１の後面１Ｂに沿って延びる後部ベルト部分２２を有する。前部ベルト部分２１および後部ベルト部分２２からなる拘束ベルト２は、単一の連続ウェビング材料から形成することができる。子供がシート本体１の前面１Ａに対して置かれるとき、２つの拘束ベルト２は、各拘束ベルト２の前部ベルト部分２１が子供の体を包むように取り付けることができる。
【０００９】
図２〜４に示されるように、拘束ハーネス１０２は、２つの拘束ベルト２にそれぞれ結合された２つの調整バックル３をさらに含む。２つの調整バックル３のそれぞれは、シート本体１の前面１Ａの後ろの後部ベルト部分２２に設けられており、前面１Ａの前に延びる前部ベルト部分２１の長さを調整するように動作可能である。前部ベルト部分２１の長さは、例えば、シート本体１に受け入れられる子供のサイズに応じて調整することができる。一構成例によれば、各調整バックル３はスリーバー・バックルであり得る。各拘束ベルト２は、後部ベルト部分２２を調整バックル３に通すことにより、対応する調整バックル３に結合することができる。調整バックル３は、シート本体１の後面１Ｂに隣接して配置することができる。このようにして、前部ベルト部分２１の長さを調整するための調整バックル３および後部ベルト部分２２の動作が容易になり得る。また、拘束ベルト２の後部ベルト部２２は、調整バックル３でシート本体１の後面１Ｂに固定することができる。
【００１０】
図２に示されるように、拘束ハーネス１０２は、シート本体１に結合されたバックル１１をさらに含むことができる。バックル１１は、クロッチベルト４０を介してシート本体１に結合することができる。各拘束ベルト２は、拘束ハーネス１０２を固定するためにバックル１１に取り付けられ、拘束ハーネス１０２を緩めるためにバックル１１から取り外されることができるコネクタ２３にそれぞれ結合されている。コネクタ２３は、対応する拘束ベルト２の前部ベルト部分２１の自由端に設けることができる。
【００１１】
拘束ベルト２のコネクタ２３をバックル１１に取り付けるために、様々な構造を適用することができる。図示の例では、拘束ハーネス１０２は、バックル１１に係合および係合解除するように動作可能な２つのコネクタ４２にそれぞれ結合された２つのラップベルト２６をさらに含み、２つのコネクタ２３は、ラップベルト２６の２つのコネクタ４２を介してそれぞれバックル１１に取り付けられ得る。拘束ハーネス１０２を締結するために、拘束ベルト２の２つのコネクタ２３は、それぞれ、ラップベルト２６の２つのコネクタ４２と組み立てられ、そして、コネクタ２３および４２は、２つのコネクタ４２をバックル１１と係合させることによって、バックル１１に取り付けられる。拘束ハーネス１０２を緩めるために、２つのコネクタ４２は、それぞれバックル１１から切り離され、その結果、ラップベルト２６のコネクタ４２および拘束ベルト２のコネクタ２３は、バックル１１から取り外すことができる。
【００１２】
別の構成例によれば、拘束ベルト２のコネクタ２３は、コネクタ２３をバックル１１に直接取り付けるためにバックル１１と係合するように構成され得る。例えば、各コネクタ２３およびバックル１１は、それぞれ、コネクタ２３をバックル１１に取り付けるために互いに接触させ、コネクタ２３をバックル１１から取り外すために互いに離すことができる構造的特徴を有し得る。
【００１３】
本明細書に記載の拘束ハーネス１０２において、拘束ベルト２の後部ベルト部分２２上の調整バックル３の配置は、拘束ベルト２の後部ベルト部分２２をシート本体１の後面１Ｂに固定するのを助けることができ、そして、使用中は調整バックル３と子供との接触を回避できる。結果として、調整バックル３を通る拘束ベルト２の望ましくない滑り、およびその結果としての拘束ベルト２の緩みを防ぐことができる。さらに、拘束ベルト２は、前部開口部１２とコネクタ２３との間の前部ベルト部分２１のそれぞれに長さ調整バックルがないため、前部ベルト部分２１と子供の体との間のより快適な接触を提供することができる。
【００１４】
チャイルド安全シートの実現は、特定の実施形態の文脈で説明されてきた。これらの実施形態は、例示的であり、限定的ではないことを意図している。多くのバリエーション、変更、追加、および改善が可能である。これらおよび他の変形、修正、追加、および改善は、実用新案登録請求の範囲で画定される本考案の範囲内に含まれ得る。
【図１】
0003235458.tif 000003
【図２】
0003235458.tif 000004
【図３】
0003235458.tif 000005
【図４】
0003235458.tif 000006